(57)【要約】  【課題】磁気カードの挿入時および抜き取り時に、磁気カードの情報の不正読取を防止することが可能な磁気カード処理装置を提供する。  【解決手段】磁気カード処理装置１０１の挿入口４の近傍に、通過する磁気カード１に接するように振動子７を設ける。磁気カード１が挿入口４から挿入されて、磁気カード処理装置１０１の本体２内部へ取り込まれるまでの間に、振動子７を駆動して、振動子７自身を振動させることにより、磁気カード１に振動子７の振動を伝わらせて、磁気カード１を振動させる。また、磁気カード１が磁気カード処理装置１０１の本体２内部から挿入口４へ排出されて、挿入口４から抜き取られるまでの間に、振動子７を駆動して、振動子７自身を振動させることにより、磁気カード１に振動子７の振動を伝わらせて、磁気カード１を振動させる。【選択図】  図１
2005309857.tif 000002
【特許請求の範囲】
【請求項１】
挿入口から挿入された磁気カードに対して、磁気ヘッドによって情報の処理を行い、処理終了後に磁気カードが前記挿入口から抜き取られる磁気カード処理装置において、
前記挿入口の近傍に磁気カードを振動させる振動手段を設けたことを特徴とする磁気カード処理装置。
【請求項２】
請求項１に記載の磁気カード処理装置において、
前記振動手段は、電気的に駆動することにより動作して磁気カードを振動させる能動的振動手段であることを特徴とする磁気カード処理装置。
【請求項３】
請求項２に記載の磁気カード処理装置において、
前記挿入口の近傍で磁気カードを検出する検出手段と、
磁気カードを搬送する搬送手段と、
前記磁気ヘッド、前記能動的振動手段、および前記搬送手段の駆動を制御する制御手段と、を備え、
前記制御手段は、前記検出手段によって前記挿入口から挿入された磁気カードを検出すると、前記能動的振動手段を駆動し、かつ前記搬送手段を駆動して磁気カードを当該磁気カード処理装置の内部へ搬送し、前記検出手段によって前記挿入口の近傍で磁気カードを検出しなくなると、前記能動的振動手段の駆動を停止し、当該停止後に、前記搬送手段を駆動して磁気カードを搬送しながら、前記磁気ヘッドにより磁気カードに対して情報の処理を行い、処理が終了した後に、前記搬送手段を駆動して磁気カードを前記挿入口へ搬送し、かつ前記能動的振動手段を駆動することを特徴とする磁気カード処理装置。
【請求項４】
請求項１に記載の磁気カード処理装置において、
前記振動手段は、磁気カードが接することにより動作して磁気カードを振動させる受動的振動手段であることを特徴とする磁気カード処理装置。
【請求項５】
請求項１ないし請求項４のいずれかに記載の磁気カード処理装置において、
前記磁気ヘッドを、前記振動手段によって振動させられている磁気カードに接しない位置に設けたことを特徴とする磁気カード処理装置。
【請求項６】
請求項２に記載の磁気カード処理装置において、
前記挿入口から磁気カードが挿入されたことを検出する挿入検出手段と、
磁気カードが所定位置まで完全に挿入されて停止したことを検出する挿入停止検出手段と、
前記磁気ヘッドを磁気カードの磁気ストライプに沿って移動させる移動手段と、
前記磁気ヘッド、前記能動的振動手段、および前記移動手段の駆動を制御する制御手段と、を備え、
前記制御手段は、前記挿入検出手段によって磁気カードの挿入を検出すると、前記能動的振動手段を駆動し、前記挿入停止検出手段によって磁気カードの所定位置での停止を検出すると、前記能動的振動手段の駆動を停止し、当該停止後に、前記移動手段を駆動して前記磁気ヘッドを移動させながら磁気カードに対して情報の処理を行い、前記挿入停止検出手段によって磁気カードが所定位置から移動したことを検出すると、前記能動的振動手段を駆動することを特徴とする磁気カード処理装置。
【請求項７】
請求項４に記載の磁気カード処理装置において、
磁気カードが所定位置まで完全に挿入されて停止したことを検出する挿入停止検出手段と、
前記磁気ヘッドを磁気カードの磁気ストライプに沿って移動させる移動手段と、
前記挿入停止検出手段によって磁気カードの所定位置での停止を検出しているときに、前記移動手段を駆動して前記磁気ヘッドを移動させながら磁気カードに対して情報の処理を行う制御手段と、を備えたことを特徴とする磁気カード処理装置。
【請求項８】
請求項１ないし請求項７のいずれかに記載の磁気カード処理装置において、
前記振動手段を、磁気カードの磁気ストライプに接する位置に設けたことを特徴とする磁気カード処理装置。
【発明の詳細な説明】
【技術分野】
【０００１】
本発明は、挿入された磁気カードに対して情報の処理を行う磁気カード処理装置に関する。
【背景技術】
【０００２】
一般的な磁気カード処理装置は、挿入口から磁気カードが挿入されると、内部に備えた磁気ヘッドによって磁気カードの磁気ストライプから情報を読み取ったり、磁気ストライプに情報を書き込んだりする。そして、情報の読み取りや書き込みの処理が終了すると、内部にある磁気カードを挿入口から抜き取り可能にする。
【０００３】
現金自動取引処理装置のような上位装置で用いられている磁気カード処理装置では、最近、挿入口の前面に偽カード読取機が取り付けられるという不正が行われている。偽カード読取機は、前面に磁気カードを挿入する挿入口が形成され、当該挿入口から挿入された磁気カードを内部に通過させて、背面から排出する構造になっている。また、偽カード読取機は、内部に磁気ヘッドとメモリとを備えていて、内部を通過する磁気カードの磁気ストライプから磁気ヘッドによって情報を読み取り、読み取った情報をメモリに記憶する。
【０００４】
上記の偽カード読取機が真正な磁気カード処理装置の前面に取り付けられていることを知らずに、現金自動取引処理装置の利用者が偽カード読取機の挿入口に磁気カードを挿入すると、挿入された磁気カードは、偽カード読取機を通過して、真正な磁気カード処理装置の挿入口から内部に入り込む。このとき、磁気カードの磁気ストライプに記録されている情報が、偽カード読取機の磁気ヘッドによって読み取られて、メモリに記憶される。真正な磁気カード処理装置は、磁気カードが挿入口から内部に入り込むと、磁気ヘッドによって磁気カードの磁気ストライプから情報を読み取って、所定の処理を行う。所定の処理が終了すると、磁気カードは真正な磁気カード処理装置の挿入口から出されて、利用者に返却される。このときも、磁気カードが偽カード読取機を通過するので、磁気カードの磁気ストライプの情報が、偽カード読取機の磁気ヘッドによって読み取られて、メモリに記憶されることがある。利用者は、上記のように所定の処理が正常に終了して、磁気カードが手元に戻ると、自分の磁気カードから情報が盗み取られたということに全く気づかない。一方、偽カード読取機を取り付けた者は、その後偽カード読取機を真正な磁気カード処理装置から取り外し、メモリに記憶されている情報を読み出して、磁気カードの偽造等の犯罪に利用する。
【０００５】
上述したような磁気カードの情報の不正読取を防止するための対策として、従来から、磁気カードを磁気カード処理装置の内部へ取り込む場合や、磁気カードを磁気カード処理装置の内部から排出する場合において、磁気カードの一部が外部に露出しているときに、磁気カードを間欠搬送する技術が存在する（例えば、後記の非特許文献１参照）。また、更にセキュリティを高めるために、磁気カードをランダムに間欠搬送する技術が存在する（例えば、後記の特許文献１参照）。
【０００６】
【特許文献１】米国特許第６，４６０，７７１号明細書
【非特許文献１】J. Svigals: "Unauthorized Card Stripe Reading Inhibitor", IBM TECHNICAL DISCLOSURE BULLETIN, vol. 26, No. 6, Nov. 1, 1983, page 2707 XP002145300, New York.
【発明の開示】
【発明が解決しようとする課題】
【０００７】
しかしながら、非特許文献１や特許文献１のような技術では、磁気カードが偽カード読取機の挿入口に挿入されてから、真正の磁気カード処理装置で搬送可能になる位置に入り込むまでの間は、磁気カードを間欠搬送できないため、磁気カードの情報が不正に読み取られてしまう。また、磁気カードが真正の磁気カード処理装置の内部から搬送限界位置へと搬送されてから、偽カード読取機の挿入口より抜き取られるまでの間も、磁気カードを間欠搬送できないため、磁気カードの情報が不正に読み取られてしまう。
【０００８】
本発明は、上記問題点を解決するものであって、その課題とするところは、磁気カードの挿入時および抜き取り時に、磁気カードの情報の不正読取を防止することが可能な磁気カード処理装置を提供することにある。
【課題を解決するための手段】
【０００９】
本発明では、挿入口から挿入された磁気カードに対して、磁気ヘッドによって情報の処理を行い、処理終了後に磁気カードが挿入口から抜き取られる磁気カード処理装置において、挿入口の近傍に磁気カードを振動させる振動手段を設ける。
【００１０】
上記のようにすることで、磁気カードの挿入時および抜き取り時において、磁気カードが挿入口の近傍を通過する際に、振動手段で磁気カードを振動させることができるので、偽カード読取機が磁気カード処理装置の前面に取り付けられても、磁気カードと偽カード読取機に備わる磁気ヘッドとの接触状態を不安定にして、磁気カードの情報の不正読取を防止することが可能となる。
【００１１】
また、本発明の一実施形態では、振動手段として、電気的に駆動することにより動作して磁気カードを振動させる能動的振動手段を用いる。これにより、磁気カードが挿入口の近傍を通過する際に、能動的振動手段を駆動することで、磁気カードを振動させることができる。
【００１２】
また、本発明の一実施形態では、振動手段として能動的振動手段を用いることに加え、挿入口の近傍で磁気カードを検出する検出手段と、磁気カードを搬送する搬送手段と、磁気ヘッド、能動的振動手段、および搬送手段の駆動を制御する制御手段とを設ける。この構成において、制御手段は、検出手段によって挿入口から挿入された磁気カードを検出すると、能動的振動手段を駆動し、かつ搬送手段を駆動して磁気カードを当該磁気カード処理装置の内部へ搬送し、検出手段によって挿入口の近傍で磁気カードを検出しなくなると、能動的振動手段の駆動を停止し、当該停止後に、搬送手段を駆動して磁気カードを搬送しながら、磁気ヘッドにより磁気カードに対して情報の処理を行い、処理が終了した後に、搬送手段を駆動して磁気カードを挿入口へ搬送し、かつ能動的振動手段を駆動する。このようにすることで、磁気カードが挿入されてから搬送手段によって磁気カード処理装置の内部に取り込まれるまでの間と、磁気カードが搬送手段によって磁気カード処理装置の内部から排出されてから抜き取られるまでの間において、能動的振動手段が駆動して挿入口の近傍を通過する磁気カードを振動させるので、偽カード読取機による磁気カードの情報の不正読取を防止することが可能となる。また、能動的振動手段の駆動を停止してから、磁気ヘッドによって磁気カードに対して情報の処理を行うので、能動的振動手段が動作することにより生じる振動の影響を受けることなく、磁気ヘッドを磁気カードの磁気ストライプに安定に接触させて情報の処理を行うことが可能となる。
【００１３】
また、本発明の他の一実施形態では、振動手段として、磁気カードが接することにより動作して磁気カードを振動させる受動的振動手段を用いる。これにより、磁気カードが挿入口の近傍を通過する際に、磁気カードが受動的振動手段に接することで、受動的振動手段が動作して、磁気カードを振動させることができる。また、磁気カードを振動させるために何ら制御を行う必要がないので、磁気カード処理装置の制御負担を軽減することができる。
【００１４】
また、本発明の一実施形態では、磁気ヘッドを、振動手段によって振動させられている磁気カードに接しない位置に設ける。これにより、磁気カードの振動が磁気ヘッドに直接伝わらなくなるので、磁気ヘッドの損傷を防止することが可能となる。
【００１５】
また、本発明の他の一実施形態では、振動手段として能動的振動手段を用い、挿入口から磁気カードが挿入されたことを検出する挿入検出手段と、磁気カードが所定位置まで完全に挿入されて停止したことを検出する挿入停止検出手段と、磁気ヘッドを磁気カードの磁気ストライプに沿って移動させる移動手段と、磁気ヘッド、能動的振動手段、および移動手段の駆動を制御する制御手段とを設ける。この構成において、制御手段は、挿入検出手段によって磁気カードの挿入を検出すると、能動的振動手段を駆動し、挿入停止検出手段によって磁気カードの所定位置での停止を検出すると、能動的振動手段の駆動を停止し、当該停止後に、移動手段を駆動して磁気ヘッドを移動させながら磁気カードに対して情報の処理を行い、挿入停止検出手段によって磁気カードが所定位置から移動したことを検出すると、能動的振動手段を駆動する。このようにすることで、磁気カードの挿入時および抜き取り時において、能動的振動手段が駆動して挿入口の近傍を通過する磁気カードを振動させるので、偽カード読取機による磁気カードの情報の不正読取を防止することが可能となる。また、挿入された磁気カードが所定位置に停止したときに、能動的振動手段の駆動を停止し、この後磁気ヘッドを移動させて磁気カードに対して情報の処理を行うので、能動的振動手段が動作することにより生じる振動の影響を受けることなく、磁気ヘッドを磁気カードの磁気ストライプに安定に接触させて情報の処理を行うことが可能となる。
【００１６】
また、本発明の他の一実施形態では、振動手段として受動的振動手段を用い、磁気カードが所定位置まで完全に挿入されて停止したことを検出する挿入停止検出手段と、磁気ヘッドを磁気カードの磁気ストライプに沿って移動させる移動手段と、挿入停止検出手段によって磁気カードの所定位置での停止を検出しているときに、移動手段を駆動して磁気ヘッドを移動させながら磁気カードに対して情報の処理を行う制御手段とを設ける。このようにすることで、磁気カードの挿入時および抜き取り時において、挿入口の近傍を通過する磁気カードが接触することにより、受動的振動手段が動作して磁気カードを振動させるので、偽カード読取機による磁気カードの情報の不正読取を防止することが可能となる。また、挿入された磁気カードが所定位置に停止しているときに、磁気ヘッドを移動させて磁気カードに対して情報の処理を行うので、振動していない状態の磁気カードの磁気ストライプに磁気ヘッドを安定に接触させて情報の処理を行うことが可能となる。
【００１７】
さらに、本発明の他の一実施形態では、振動手段を、磁気カードの磁気ストライプに接する位置に設ける。これにより、磁気カードが挿入口の近傍を通過する際に、振動手段に接する磁気カードの磁気ストライプ部分が最も大きく振動するので、偽カード読取機による磁気カードの情報の不正読取をより確実に防止することが可能となる。
【発明の効果】
【００１８】
本発明によれば、磁気カードの挿入時および抜き取り時において、磁気カードが挿入口の近傍を通過する際に、振動手段で磁気カードを振動させることができるので、偽カード読取機が磁気カード処理装置の前面に取り付けられても、磁気カードの情報の不正読取を防止することが可能となる。
【発明を実施するための最良の形態】
【００１９】
図１〜図３は、本発明の第１実施形態に係る磁気カード処理装置１０１の内部構造を示す図である。図１は同側方断面図、図２は同上方断面図（図１において磁気カード処理装置１０１をＵ方向側から見た断面図）、図３は同前方断面図（図１において磁気カード処理装置１０１をＢ方向側から見た断面図）である。
【００２０】
磁気カード処理装置１０１は、挿入される磁気カード１を内部へ搬送し、内部で搬送中の磁気カード１に対して情報の読み取り処理を行う。磁気カード１は、下面（図１のＤ方向側の面）の所定位置に磁気ストライプ１ｓ（図２に図示）が設けられていて、当該磁気ストライプ１ｓに情報が磁気記録されている。１ａは磁気カード１の先端、１ｂは磁気カード１の後端である。２は磁気カード処理装置１０１の本体、３は本体２の前面（Ｂ方向側の面）側に設けられた挿入部である。４は磁気カード１が挿入される挿入口、１点鎖線で示す５は磁気カード１が通行する通路である。挿入口４と通路５の幅Ｗ（図２に図示）は、磁気カード１の短手方向Ｒ、Ｌの幅Ｘと略同程度の大きさになっている。これにより、挿入口４および通路５に磁気カード１を幅方向Ｒ、Ｌにガタツキなく挿入することができる。また、挿入口４の高さＨ（図３に図示）は、磁気カード１の厚みＴ（図１に図示）よりも大きくなっている。本例では、磁気カード１の厚みＴが０．７６ｍｍであるのに対し、挿入口４の高さＨは４ｍｍ程度である。これにより、磁気カード１は挿入口４の近傍で上下方向Ｕ、Ｄに移動することができる。
【００２１】
６は挿入部３に設けられたシャッタである。このシャッタ６は、後述するソレノイドにより図１および図３の上下方向Ｕ、Ｄに開閉し、挿入口４から本体２内部への磁気カード１の進入、または本体２内部から挿入口４への磁気カード１の排出を規制する。７は挿入部３の挿入口４の近傍に設けられた振動子である。この振動子７は、回転軸に偏心重り７ｂが取り付けられたモータ７ａから構成されている。モータ７ａは、挿入部３の通路５を通過する磁気カード１の下面と接するように配置されている。モータ７ａを駆動して偏心重り７ｂを回転させると、モータ７ａ自身が振動する。このため、挿入部３の通路５を通過する磁気カード１が振動しているモータ７ａに接すると、後述するように磁気カード１が上下（Ｕ、Ｄ方向）や前後（Ｆ、Ｂ方向）に振動する。つまり、振動子７は、電気的に駆動することにより動作して磁気カード１を振動させる。振動子７は、本発明における振動手段および能動的振動手段の一実施形態を構成する。
【００２２】
８は上下一対のローラ、１５は各ローラ８を回転させるモータである。モータ１５が正転駆動すると、各ローラ８が回転して磁気カード１をＦ方向へ搬送する。また、モータ１５が逆転駆動すると、各ローラ８が回転して磁気カード１をＢ方向へ搬送する。ローラ８とモータ１５とは、本発明における搬送手段の一実施形態を構成する。１０は本体２内部に固定された磁気ヘッドである。この磁気ヘッド１０は、図２に示すように振動子７から磁気カード１の挿入方向Ｆに磁気カード１の長手方向Ｆ、Ｂの幅Ｙより大きな間隔Ｚ（Ｙ＜Ｚ）をおいた位置に配置されている。このため、振動子７によって振動させられている磁気カード１に磁気ヘッド１０が接することはない。磁気ヘッド１０は、磁気カード１がローラ８によって本体２内部を搬送される過程で、磁気カード１の磁気ストライプ１ｓに接して、磁気ストライプ１ｓの磁力の変化を検出し、磁気情報を読み取る。
【００２３】
９は磁気ヘッド１０と対向するように設けられたプラテンローラである。このプラテンローラ９は、搬送される磁気カード１の上面（Ｕ方向側の面）を支持して、磁気カード１を磁気ヘッド１０に接触させる。１１〜１４はフォトマイクロセンサから構成されているカード検出センサである。第１カード検出センサ１１は、挿入口４の近傍に設けられ、第２〜第４カード検出センサは、本体２内部に設けられている。これらのカード検出センサ１１〜１４はそれぞれ磁気カード１の有無を検出する。第１カード検出センサ１１は、本発明における検出手段の一実施形態を構成する。
【００２４】
図４は、磁気カード処理装置１０１の電気的構成を示すブロック図である。２１は磁気カード処理装置１０１の各部を制御するＣＰＵである。このＣＰＵ２１は、本発明における制御手段の一実施形態を構成する。１８はＣＰＵ２１の動作プログラム等が記憶されたＲＯＭ、１９はＣＰＵ２１が各部を制御する制御データ等が読み書き可能に記憶されるＲＡＭである。２０は現金自動取引処理装置のような上位装置と相互に通信を行うための通信部、１０は前述の磁気ヘッドである。ＣＰＵ２１は、磁気ヘッド１０によって磁気カード１から読み取った情報を、通信部２０を介して上位装置へ送信する。１５は前述のローラ８を回転させるモータ、１６はモータ１５の回転数を検出するエンコーダである。ＣＰＵ２１は、エンコーダ１６の出力に基づいて磁気カード１の搬送速度を制御する。１７は前述のシャッタ６を開閉させるソレノイド、１１〜１４は前述のカード検出センサ、７は前述の振動子である。
【００２５】
図５は、磁気カード処理装置１０１の動作手順を示すフローチャートである。各処理はＣＰＵ２１により実行される。磁気カード処理装置１０１の動作を説明するにあたり、磁気カード処理装置１０１における磁気カード１の搬送状態を示す図６と、磁気カード処理装置１０１の挿入部３における磁気カード１の通過状態を示す図７とを適宜参照する。
【００２６】
利用者によって磁気カード１が、図６（ａ）に示すように挿入口４からＦ方向へ挿入されると、挿入口４の近傍に設けられた第１カード検出センサ１１が磁気カード１を検出してＯＮ状態になるので（図５のステップＳ１：ＹＥＳ）、ＣＰＵ２１は、振動子７を駆動し（ステップＳ２）、ソレノイド１７によりシャッタ６を開き（ステップＳ３）、モータ１５を正転駆動する（ステップＳ４）。振動子７を駆動すると、前述したように偏心重り７ｂが回転してモータ７ａが振動する、すなわち振動子７自身が振動する。このため、挿入されている磁気カード１が、図７（ａ）に示すように振動している振動子７に接すると、振動子７の振動が磁気カード１に伝わって、磁気カード１が上下や前後に振動する。このときは、特に磁気カード１の先端１ａ側が上下に大きく振動する。
【００２７】
そして、挿入されている磁気カード１の先端１ａが、シャッタ６をくぐって、挿入部３の近傍にあるローラ８に当接すると、当該ローラ８はモータ１５の正転駆動により回転しているので、磁気カード１を挟み込んでＦ方向に搬送し、本体２内部へ取り込んで行く。この取り込みの際、磁気カード１が、図７（ｂ）に示すように振動している振動子７に接している間は、振動子７の振動が磁気カード１に伝わって、磁気カード１が上下や前後に振動する。このときは、特に磁気カード１の後端１ｂ側が上下に大きく振動する。
【００２８】
磁気カード１がＦ方向に搬送されて行くことにより、第１カード検出センサ１１が磁気カード１を検出しなくなってＯＦＦ状態になると（図５のステップＳ５：ＹＥＳ）、ＣＰＵ２１は、振動子７の駆動を停止する（ステップＳ６）。これにより、振動子７自身の振動が停止して、磁気カード２の振動も停止する。振動子７の駆動を停止した後しばらくすると、ＣＰＵ２１はソレノイド１７によりシャッタ６を閉じる（ステップＳ７）。このとき、磁気カード１は、本体２内部でローラ８によりＦ方向に搬送されている。この後、図６（ｂ）に示すように磁気カード１の先端１ａが第３カード検出センサ１３の設けられた位置に到達すると、第３カード検出センサ１３が磁気カード１を検出してＯＮ状態になるので（図５のステップＳ８：ＹＥＳ）、ＣＰＵ２１は、磁気カード１をＦ方向へ搬送しながら、磁気ヘッド１０によって磁気カード１の磁気ストライプ１ｓから情報を読み取る（ステップＳ９）。そして、図６（ｃ）に示すように磁気カード１の先端１ａが第４カード検出センサ１４の設けられた位置に到達すると、第４カード検出センサ１４が磁気カード１を検出してＯＮ状態になるので（図５のステップＳ１０：ＹＥＳ）、ＣＰＵ２１は、モータ１５の正転駆動を停止する（ステップＳ１１）。これにより、ローラ８の回転が停止して、磁気カード１の搬送が停止する。また、磁気ヘッド１０による磁気カード１からの情報の読み取りが終了する。
【００２９】
この後、ＣＰＵ２１は、通信部２０を介して上位装置と通信を行い（ステップＳ１２）、上位装置に磁気カード１から読み取った情報を送信する。そして、上位装置から所定の取引処理が完了したことを示す通知を受信すると、ＣＰＵ２１は、磁気カード１を返却するために、モータ１５を逆転駆動し（ステップＳ１３）、振動子７を駆動する（ステップＳ１４）。モータ１５を逆転駆動すると、ローラ８が回転して、磁気カード１を挿入口４に向けてＢ方向へ搬送して行く。振動子７を駆動すると、振動子７自身が振動する。
【００３０】
磁気カード１がＢ方向に搬送されて行くことにより、図６（ｄ）に示すように磁気カード１の後端１ｂが第２カード検出センサ１２の設けられた位置に到達すると、第２カード検出センサ１２が磁気カード１を検出してＯＮ状態になるので（図５のステップＳ１５：ＹＥＳ）、ＣＰＵ２１は、シャッタ６を開く（ステップＳ１６）。そして、搬送されている磁気カード１が、シャッタ６をくぐって、図７（ｃ）に示すように振動している振動子７に接すると、振動子７の振動が磁気カード１に伝わって、磁気カード１が上下や前後に振動する。このときは、特に磁気カード１の後端１ｂ側が上下に大きく振動する。またこのとき、第１カード検出センサ１１が磁気カード１を検出してＯＮ状態になる。
【００３１】
その後、さらに磁気カード１がＢ方向に搬送されて行くことにより、磁気カード１の先端１ａが第２カード検出センサ１２の設けられた位置を通り過ぎると、第１カード検出センサ１１がＯＮ状態のまま、第２カード検出センサ１２が磁気カード１を検出しなくなってＯＦＦ状態になるので（図５のステップＳ１７：ＹＥＳ）、ＣＰＵ２１は、しばらくしてモータ１５の逆転駆動を停止する（ステップＳ１８）。これにより、ローラ８の回転が停止し、磁気カード１が挿入部３の近傍にあるローラ８のＢ方向側に停止して、磁気カード１の後端１ｂが挿入口４から外部に突出した状態となる。このような状態になると、利用者によって磁気カード１が挿入口４からＢ方向へ抜き取られて行く。この抜き取りの際、磁気カード１が、図７（ｄ）に示すように振動している振動子７に接している間は、振動子７の振動が磁気カード１に伝わって、磁気カード１が上下や前後に振動する。このときは、特に磁気カード１の先端１ａ側が上下に大きく振動する。
【００３２】
そして、磁気カード１が挿入口４から抜き取られることにより、第１カード検出センサ１１が磁気カード１を検出しなくなってＯＦＦ状態になると（図５のステップＳ１９：ＹＥＳ）、ＣＰＵ２１は、振動子７の駆動を停止して（ステップＳ２０）、シャッタ６を閉じ（ステップＳ２１）、処理を終了する。
【００３３】
上述した第１実施形態のようにすることで、磁気カード処理装置１０１に対する磁気カード１の挿入時および抜き取り時において、磁気カード１が挿入部３の挿入口４の近傍を通過する際に、振動子７で磁気カード１を上下や前後に振動させることができる。このため、偽カード読取機が磁気カード処理装置１０１の挿入部３の前面（Ｂ方向側の面）に取り付けられても、磁気カード１が上下に振動することにより、磁気カード１の磁気ストライプ１ｓと偽カード読取機に備わる磁気ヘッドとが接したり離れたりして、両者の接触状態が不安定になるので、偽カード読取機による磁気カード１の情報の不正読取を防止することが可能となる。また、磁気カード１が前後に振動することによっても、磁気カード１の磁気ストライプ１ｓと偽カード読取機の磁気ヘッドとの接触状態が不安定になるとともに、磁気カード１の移動速度が変動するので、偽カード読取機による磁気カード１の情報の不正読取を一層防止することが可能となる。
【００３４】
また、磁気カード１が挿入されてからローラ８によって挿入部３の内部に取り込まれるまでの間と、磁気カード１がローラ８によって本体２内部から排出されてから抜き取られるまでの間において、振動子８を駆動して挿入口４の近傍を通過する磁気カード１を振動させることができ、偽カード読取機による磁気カードの情報の不正読取を防止することが可能となる。
【００３５】
また、振動子７の駆動を停止してから、磁気ヘッド１０によって磁気カード１の情報を読み取るので、振動子７の振動の影響を受けることなく、磁気ヘッド１０を磁気カード１の磁気ストライプ１ｓに安定に接触させて情報の読み取りを行うことが可能となる。
【００３６】
さらに、磁気ヘッド１０を振動子７によって振動させられている磁気カード１に接しない位置に設けているので、磁気カード１の振動が磁気ヘッド１０に直接伝わらなくなり、磁気ヘッド１０の損傷を防止することが可能となる。
【００３７】
図８〜図１０は、本発明の第２実施形態に係る磁気カード処理装置１０２の内部構造を示す図である。図８は同側方断面図、図９は同上方断面図（図８において磁気カード処理装置１０２をＵ方向側から見た断面図）、図１０は同前方断面図（図８において磁気カード処理装置１０２をＢ方向側から見た断面図）である。なお、図８〜１０では、前述の図１〜図３と同一部分には同一符号を付してある。
【００３８】
本実施形態の磁気カード処理装置１０２では、挿入部３の挿入口４の近傍に、突起付きローラ２２と押さえローラ２３とが設けられている。突起付きローラ２２は、円周方向に所定の間隔をおいて複数のゴムからなる突起２２ａが設けられていて、挿入部３の通路５を通過する磁気カード１の下面と接するように回転可能に配置されている。押さえローラ２３は、突起付きローラ２２と対向するように回転可能かつ上下方向Ｕ、Ｄに移動可能に配置されている。２４は押さえローラ２３を突起付きローラ２２に押さえ付けるばねである。挿入部３の通路５を通過する磁気カード１が２つのローラ２２、２３の間に入り込むと、２つのローラ２２、２３がそれぞれ回転して、後述するように突起付きローラ２２が磁気カード１を振動させる。つまり、突起付きローラ２２は、磁気カード１が接することにより動作して磁気カード１を振動させる。突起付きローラ２２は、本発明における振動手段および受動的振動手段の一実施形態を構成する。なお、本体２内部に示す磁気ヘッド１０は、図９に示すように突起付きローラ２２からＦ方向に磁気カード１の幅Ｙより大きな間隔Ｚ１（Ｙ＜Ｚ１）をおいた位置に配置されている。このため、突起付きローラ２２によって振動させられている磁気カード１に磁気ヘッド１０が接することはない。
【００３９】
図１１は、磁気カード処理装置１０２の電気的構成を示すブロック図である。図示するように、本構成には、図４に示した振動子７が含まれていない。ＣＰＵ２１ａは、振動子７を制御する機能を有していないことだけが、図４に示したＣＰＵ２１と相違している。即ち、ＣＰＵ２１ａが振動子７以外の各部を制御する機能は、ＣＰＵ２１の当該機能と同様である。
【００４０】
図１２は、磁気カード処理装置１０２の挿入部３における磁気カード１の通過状態を示す図である。利用者によって磁気カード１が挿入口４からＦ方向へ挿入されると、磁気カード１が、図１２（ａ）に示すように突起付きローラ２２と押さえローラ２３との間に入り込み、磁気カード１の挿入力により２つのローラ２２、２３がそれぞれ回転する。これにより、突起付きローラ２２の各突起２２ａが磁気カード１の下面に順々に衝突し、磁気カード１が振動する。このときは、特に磁気カード１の先端１ａ側が上下に大きく振動する。なお、押さえローラ２３は、磁気カード１の上面を支持しながら、磁気カード１とともに上下に振動する。そして、挿入されている磁気カード１が挿入部３の近傍にある一対のローラ８の間に入り込んだ後、当該ローラ８によって磁気カード１が本体２内部へＦ方向に取り込まれて行くと、磁気カード１は、図１２（ｂ）に示すように突起付きローラ２２に接している間振動する。このときは、特に磁気カード１の後端１ｂ側が上下に大きく振動する。
【００４１】
本体２内部に取り込まれた磁気カード１の情報が磁気ヘッド１０によって読み取られた後は、磁気カード１がローラ８によって挿入口４に向けてＢ方向に搬送されて行く。そして、搬送されている磁気カード１が、図１２（ｃ）に示すように突起付きローラ２２と押さえローラ２３との間に入り込むと、磁気カード１の搬送力により２つのローラ２２、２３がそれぞれ回転する。これにより、突起付きローラ２２の各突起２２ａが磁気カード１の下面に順々に衝突し、磁気カード１が振動する。このときは、特に磁気カード１の後端１ｂ側が上下に大きく振動する。そして、磁気カード１が挿入部３の近傍にあるローラ８によって搬送されなくなった後、利用者によって磁気カード１が挿入口４からＢ方向へ抜き取られて行くと、磁気カード１は、図１２（ｄ）に示すように突起付きローラ２２に接している間振動する。このときは、特に磁気カード１の先端１ａ側が上下に大きく振動する。
【００４２】
上述した第２実施形態のようにすることで、磁気カード処理装置１０２に対する磁気カード１の挿入時および抜き取り時において、磁気カード１が挿入部３の挿入口４の近傍を通過する際に、突起付きローラ２２で磁気カード１を上下に振動させることができる。このため、偽カード読取機が磁気カード処理装置１０２の挿入部３の前面に取り付けられても、磁気カード１の磁気ストライプ１ｓと偽カード読取機に備わる磁気ヘッドとの接触状態が不安定になり、磁気カード１の情報の不正読取を防止することが可能となる。また、磁気カード１を振動させるために何ら制御を行う必要がないので、ＣＰＵ２１ａの制御負担を軽減することができる。
【００４３】
図１３〜図１５は、本発明の第３実施形態に係る磁気カード処理装置１０３の内部構造を示す図である。図１３は同側方断面図、図１４は同上方断面図（図１３において磁気カード処理装置１０３をＵ方向側から見た断面図）、図１５は同前方断面図（図１３において磁気カード処理装置１０３をＢ方向側から見た断面図）である。なお、図１３〜１５では、前述の図１〜図３と同一部分には同一符号を付してある。
【００４４】
本実施形態の磁気カード処理装置１０３では、挿入部３の挿入口４の近傍に、小径の偏心ローラ３１と大径の偏心していないローラ３３と押さえローラ３５とが設けられている。偏心ローラ３１とローラ３３とは、挿入部３の通路５を通過する磁気カード１の下面と接するようにそれぞれ回転可能に配置されている。偏心ローラ３１の回転軸には小ギヤ３２が連結されていて、ローラ３３の回転軸には小ギヤ３２と噛み合う大ギヤ３４が連結されている。このため、ローラ３３が回転すると、偏心ローラ３１が２つのギヤ３２、３４の噛み合いによってローラ３３の２倍の回転数で回転する。押さえローラ３５は、ローラ３３と対向するように回転可能かつ上下方向Ｕ、Ｄに移動可能に配置されている。３６は押さえローラ３５をローラ３３に押さえ付けるばねである。挿入部３の通路５を通過する磁気カード１がローラ３３と押さえローラ３５の間に入り込むと、２つのローラ３３、３５がそれぞれ回転し、偏心ローラ３１がローラ３３の２倍の回転数で回転して、後述するように磁気カード１を振動させる。つまり、偏心ローラ３１は、磁気カード１がローラ３３に接することにより動作して磁気カード１を振動させる。偏心ローラ３１は、本発明における振動手段および受動的振動手段の一実施形態を構成する。なお、本体２内部に示す磁気ヘッド１０は、図１４に示すように偏心ローラ３１からＦ方向に磁気カード１の幅Ｙより大きな間隔Ｚ２（Ｙ＜Ｚ２）をおいた位置に配置されている。このため、偏心ローラ３１によって振動させられている磁気カード１に磁気ヘッド１０が接することはない。磁気カード処理装置１０３の電気的構成は、図１１に示した構成と同一である。
【００４５】
図１６は、磁気カード処理装置１０３の挿入部３における磁気カード１の通過状態を示す図である。利用者によって磁気カード１が挿入口４からＦ方向へ挿入されると、磁気カード１が、図１６（ａ）に示すようにローラ３３と押さえローラ３５との間に入り込み、磁気カード１の挿入力により２つのローラ３３、３５がそれぞれ回転する。ローラ３３が回転すると、大ギヤ３４と小ギヤ３２の噛み合いにより偏心ローラ３１がローラ３３の２倍の回転数で回転し、当該偏心ローラ３１の中心からの距離の短い周面と距離の長い周面とが磁気カード１の下面に順々に接する。これにより、偏心ローラ３１が磁気カード１の下面を支持する位置が所定の周期で上下方向Ｕ、Ｄに移動して、磁気カード１が振動する。このときは、特に磁気カード１の先端１ａ側が上下に大きく振動する。なお、押さえローラ３５は、磁気カード１の上面を支持しながら、磁気カード１とともに上下に振動する。そして、挿入されている磁気カード１が挿入部３の近傍にある一対のローラ８の間に入り込んだ後、当該ローラ８によって磁気カード１が本体２内部へＦ方向に取り込まれて行くと、磁気カード１は、図１６（ｂ）に示すように偏心ローラ３１に接している間振動する。このときは、特に磁気カード１の後端１ｂ側が上下に大きく振動する。
【００４６】
本体２内部に取り込まれた磁気カード１の情報が磁気ヘッド１０によって読み取られた後は、磁気カード１がローラ８によって挿入口４に向けてＢ方向に搬送されて行く。そして、搬送されている磁気カード１が、図１６（ｃ）に示すようにローラ３３と押さえローラ３５との間に入り込むと、磁気カード１の搬送力により２つのローラ３３、３５がそれぞれ回転する。これにより、偏心ローラ３１がローラ３３の２倍の回転数で回転し、偏心ローラ３１による磁気カード１下面の支持位置が所定の周期で上下方向Ｕ、Ｄに移動して、磁気カード１が振動する。このときは、特に磁気カード１の後端１ｂ側が上下に大きく振動する。そして、磁気カード１が挿入部３の近傍にあるローラ８によって搬送されなくなった後、利用者によって磁気カード１が挿入口４からＢ方向へ抜き取られて行くと、磁気カード１は、図１６（ｄ）に示すように偏心ローラ３１に接している間振動する。このときは、特に磁気カード１の先端１ａ側が上下に大きく振動する。
【００４７】
上述した第３実施形態のようにすることで、磁気カード処理装置１０３に対する磁気カード１の挿入時および抜き取り時において、磁気カード１が挿入部３の挿入口４の近傍を通過する際に、偏心ローラ３１で磁気カード１を上下に振動させることができる。このため、偽カード読取機が磁気カード処理装置１０２の挿入部３の前面に取り付けられても、磁気カード１の磁気ストライプ１ｓと偽カード読取機に備わる磁気ヘッドとの接触状態が不安定になり、磁気カード１の情報の不正読取を防止することが可能となる。
【００４８】
また、磁気カード１を振動させるために小径の偏心ローラ３１を用い、当該偏心ローラ３１を２つのギヤ３２、３４のギヤ比によって大径のローラ３３よりも大きな回転数で回転させることで、磁気カード１の振動量（変位量）を大きくし、かつ単位時間当たりの振動数を多くすることができる。
【００４９】
図１７〜図１９は、本発明の第４実施形態に係る磁気カード処理装置１０４の内部構造を示す図である。図１７は同上方断面図、図１８は同側方断面図（図１７において磁気カード処理装置１０４をＬ方向側から見た断面図）、図１９は同前方断面図（図１７において磁気カード処理装置１０４をＢ方向側から見た断面図）である。
【００５０】
本実施形態の磁気カード処理装置１０４は、内部の所定位置まで挿入されて停止した磁気カード１に対して情報の読み取り処理を行う。４１は磁気カード処理装置１０４の本体、４２は本体４１の前面（Ｂ方向側の面）側に設けられた磁気カード１が挿入される挿入口、４３は磁気カード１が通行する通路である。挿入口４２と通路４３の幅Ｗ１（図１７に図示）は、磁気カード１の短手方向Ｒ、Ｌの幅Ｘと略同程度の大きさになっている。これにより、挿入口４２および通路４３に磁気カード１を幅方向Ｒ、Ｌにガタツキなく挿入することができる。また、挿入口４２の高さＨ１（図１８に図示）は、磁気カード１の厚みＴよりも大きくなっている。これにより、磁気カード１は挿入口４２の近傍で上下方向Ｕ、Ｄに移動することができる。図１７の４４は挿入口４２に設けられた切り欠きである。この切り欠き４４に指を入れることで、通路４３に対して磁気カード１を奥（Ｆ方向側）まで挿入したり、奥から抜き取ったりすることができる。
【００５１】
挿入口４２の近傍には、図１〜図３に示したものと同一の偏心重り７ｂ付きのモータ７ａから構成された振動子７が設けられている。モータ７ａは、挿入口４２近傍の通路４３を通過する磁気カード１の下面の磁気ストライプ１ｓと接するように配置されている。４５は磁気カード１の磁気ストライプ１ｓから情報を読み取る磁気ヘッドである。
【００５２】
５０は磁気ヘッド４５を磁気カード１の磁気ストライプ１ｓに沿って移動させる移動機構である。この移動機構５０は、支持プレート４６、リードスクリュー４７、ガイドレール４８、ギヤ４９ａ〜４９ｃ、およびモータ５３から構成されている。支持プレート４６は、Ｌ方向側の端部にガイドレール４８が挿通され、Ｒ方向側の端部にリードスクリュー４７が挿通され、中央部に磁気ヘッド４５を支持している。リードスクリュー４７のＢ方向側の端部には、ギヤ４９ａが連結されている。ギヤ４９ａは、ギヤ４９ｂと噛み合っていて、ギヤ４９ｂは、モータ５３の回転軸に連結されたギヤ４９ｃと噛み合っている。５４はモータ５３の回転数を検出するエンコーダである。モータ５３が正転駆動すると、各ローラ４９ａ〜４９ｃが回転して、リードスクリュー４７が回転し、支持プレート４６および磁気ヘッド４５がガイドレール４８に沿ってＦ方向へ移動する。また、モータ５３が逆転駆動すると、各ローラ４９ａ〜４９ｃが回転して、リードスクリュー４７が回転し、支持プレート４６および磁気ヘッド４５がガイドレール４８に沿ってＢ方向へ移動する。ヘッド移動機構５０は、本発明における移動手段の一実施形態を構成する。
【００５３】
５１および５２はマイクロスイッチから構成されているヘッド位置センサである。第１ヘッド位置センサ５１は、支持プレート４６が接触することにより、磁気ヘッド４５が図１７および図１８の実線で示す位置にあることを検出する。第２ヘッド位置センサ５２は、支持プレート４６が接触することにより、磁気ヘッド４５が図１７および図１８の２点鎖線で示す位置にあることを検出する。磁気ヘッド４５は、実線で示す位置から２点鎖線で示す位置へと移動するときに、磁気カード１の磁気ストライプ１ｓに接して、磁気ストライプ１ｓの磁力の変化を検出し、磁気情報を読み取る。６１および６２はマイクロスイッチから構成されているカード検出センサである。第１カード検出センサ６１は、磁気カード１が接触することにより、挿入口４２から磁気カード１が挿入されたことを検出する。第２カード検出センサ６２は、磁気カード１が接触することにより、磁気カード１が通路５の奥の所定位置まで完全に挿入されて停止したことを検出する。５５は挿入された磁気カード１を所定位置で停止させるストッパである。第１カード検出センサ６１は、本発明における挿入検出手段の一実施形態を構成し、第２カード検出センサ６２は、本発明における挿入停止検出手段の一実施形態を構成する。
【００５４】
図２０は、磁気カード処理装置１０４の電気的構成を示すブロック図である。７１は磁気カード処理装置１０４の各部を制御するＣＰＵである。このＣＰＵ７１は、本発明における制御手段の一実施形態を構成する。６８はＣＰＵ７１の動作プログラム等が記憶されたＲＯＭ、６９はＣＰＵ７１が各部を制御する制御データ等が読み書き可能に記憶されるＲＡＭである。７０は上位装置と相互に通信を行うための通信部、４５は前述の磁気ヘッドである。ＣＰＵ７１は、磁気ヘッド４５によって磁気カード１から読み取った情報を、通信部７０を介して上位装置へ送信する。５３は前述のモータ、５４は前述のエンコーダである。ＣＰＵ７１は、エンコーダ５４の出力に基づいて磁気ヘッド４５の移動速度を制御する。５１、５２は前述のヘッド位置センサ、６１、６２は前述のカード検出センサ、７は前述の振動子である。
【００５５】
図２１は、磁気カード処理装置１０４の動作手順を示すフローチャートである。各処理はＣＰＵ７１により実行される。磁気カード処理装置１０４の動作を説明するにあたり、磁気カード処理装置１０４における磁気カード１の移動状態を示す図２２と、磁気カード処理装置１０４の挿入口４２近傍における磁気カード１の移動状態を示す図２３とを適宜参照する。
【００５６】
利用者によって磁気カード１が、図２２（ａ）に示すように挿入口４２からＦ方向へ挿入されると、磁気カード１が挿入口４２の近傍に設けられた第１カード検出センサ６１に接触する。これにより、第１カード検出センサ６１が磁気カード１を検出してＯＮ状態になるので（図２１のステップＳ３１：ＹＥＳ）、ＣＰＵ７１は、振動子７を駆動する（ステップＳ３２）。振動子７を駆動すると、前述したように振動子７自身が振動する。このため、挿入されている磁気カード１が、図２３（ａ）に示すように振動子７に接すると、振動子７の振動が磁気カード１に伝わって、磁気カード１が振動する。このときは、特に磁気カード１の先端１ａ側が上下に大きく振動する。
【００５７】
そして、挿入されている磁気カード１の先端１ａが、図２２（ｂ）に示すようにストッパ５５に当接して、磁気カード１が所定位置で停止すると、磁気カード１が第２カード検出センサ６２に接触する。これにより、第２カード検出センサ６２が磁気カード１を検出してＯＮ状態になるので（図２１のステップＳ３３：ＹＥＳ）、ＣＰＵ７１は、振動子７の駆動を停止する（ステップＳ３４）。振動子７の駆動を停止すると、振動子７自身の振動が停止して、磁気カード２の振動も停止する。この後、ＣＰＵ７１は、モータ５３を正転駆動して（ステップＳ３５）、前述したように磁気ヘッド４５を図２２（ｂ）に実線で示す位置からＦ方向へ移動させながら、磁気ヘッド４５によって磁気カード１の磁気ストライプ１ｓから情報を読み取る（図２１のステップＳ３６）。そして、磁気ヘッド４５が、図２２（ｂ）に２点鎖線で示す位置に到達すると、支持プレート４６が第２ヘッド位置センサ５２に接触して、第２ヘッド位置センサ５２がＯＮ状態になるので（図２１のステップＳ３７：ＹＥＳ）、ＣＰＵ７１は、モータ５３の正転駆動を停止する（ステップＳ３８）。これにより、磁気ヘッド４５が停止して、磁気カード１からの情報の読み取りが終了する。
【００５８】
磁気カード１から情報を読み取ると、ＣＰＵ７１は、通信部７０を介して上位装置と通信を行い、読み取った情報を上位装置に送信する。上位装置は、送信されて来た情報に基づいて所定の取引処理を行い、所定の取引処理が完了すると、利用者に対して磁気カード処理装置１０４からの磁気カード１の抜き取りを許可する通知を行う。この通知は、文字やマークの表示、ランプやＬＥＤの点灯、音声による案内等の手段により行われる。
【００５９】
磁気カード１の抜き取りが許可された後、利用者によって磁気カード１がＢ方向へ引っ張られると、図２２（ｃ）に示すように磁気カード１が第２カード検出センサ６２から離れる。これにより、第２カード検出センサ６２が磁気カード１を検出しなくなってＯＦＦ状態になるので（図２１のステップＳ３９：ＹＥＳ）、ＣＰＵ７１は、振動子７を駆動する（ステップＳ４０）。振動子７を駆動すると、振動子７自身が振動する。このため、引っ張られている磁気カード１が、図２３（ｂ）に示すように振動子７に接すると、振動子７の振動が磁気カード１に伝わって、磁気カード１が振動する。このときは、特に磁気カード１の後端１ｂ側が上下に大きく振動する。またこのとき、磁気カード１が第１カード検出センサ６１に接触しているので、第１カード検出センサ６１が磁気カード１を検出してＯＮ状態になっている。
【００６０】
そして、引っ張られている磁気カード１の先端１ａが、図２２（ｄ）に示すように第１カード検出センサ６１から離れると、第１カード検出センサ６１が磁気カード１を検出しなくなってＯＦＦ状態になるので（図２１のステップＳ４１：ＹＥＳ）、ＣＰＵ７１は、振動子７の駆動を停止する（ステップＳ４２）。振動子７の駆動を停止すると、振動子７自身の振動が停止して、磁気カード２の振動も停止する。このとき、磁気カード１は、利用者によって挿入口４２から完全に抜き取られている。この後、ＣＰＵ７１は、モータ５３を逆転駆動して（ステップＳ４３）、前述したように磁気ヘッド４５を図２２（ｄ）に実線で示す位置からＢ方向へ移動させて行く。そして、磁気ヘッド４５が、図２２（ｄ）に２点鎖線で示す位置に到達すると、支持プレート４６が第１ヘッド位置センサ５１に接触して、第１ヘッド位置センサ５１がＯＮ状態になるので（図２１のステップＳ４４：ＹＥＳ）、ＣＰＵ７１は、モータ５３の逆転駆動を停止して（ステップＳ４５）、処理を終了する。
【００６１】
上述した第４実施形態のようにすることで、磁気カード処理装置１０４に対する磁気カード１の挿入時および抜き取り時において、磁気カード１が挿入口４２の近傍を通過する際に、振動子７で磁気カード１を上下に振動させることができる。このため、偽カード読取機が磁気カード処理装置１０４の挿入口４２の前面（Ｂ方向側の面）に取り付けられても、磁気カード１の磁気ストライプ１ｓと偽カード読取機に備わる磁気ヘッドとの接触状態が不安定になり、磁気カード１の情報の不正読取を防止することが可能となる。
【００６２】
また、挿入された磁気カード１がストッパ５５に当接して所定位置に停止したときに、振動子７の駆動を停止し、この後磁気ヘッド４５をＦ方向へ移動させて磁気カード１の情報を読み取るので、振動子７の振動の影響を受けることなく、磁気ヘッド１０を磁気カード１の磁気ストライプ１ｓに安定に接触させて情報の読み取りを行うことが可能となる。
【００６３】
さらに、振動子７を磁気カード１の磁気ストライプ１ｓに接する位置に設けているので、磁気カード１が挿入口４２の近傍を通過する際に、振動子７に接する磁気カード１の磁気ストライプ１ｓ部分が最も大きく振動し、偽カード読取機による磁気カード１の情報の不正読取をより確実に防止することが可能となる。
【００６４】
図２４〜図２６は、本発明の第５実施形態に係る磁気カード処理装置１０５の内部構造を示す図である。図２４は同上方断面図、図２５は同側方断面図（図２４において磁気カード処理装置１０５をＬ方向側から見た断面図）、図２６は同前方断面図（図２４において磁気カード処理装置１０５をＢ方向側から見た断面図）である。なお、図２４〜２６では、前述の図１７〜図１９と同一部分には同一符号を付してある。
【００６５】
本実施形態の磁気カード処理装置１０５では、挿入口４２の近傍に、図８〜図１０に示したものと同一の突起付きローラ２２と押さえローラ２３とが設けられている。突起付きローラ２２は、挿入口４２の近傍を通過する磁気カード１の下面の磁気ストライプ１ｓと接するように回転可能に配置されている。押さえローラ２３は、突起付きローラ２２と対向するように回転可能かつ上下方向Ｕ、Ｄに移動可能に配置されていて、ばね２４によって突起付きローラ２２に押さえ付けられている。
【００６６】
図２７は、磁気カード処理装置１０５の電気的構成を示すブロック図である。図示するように、本構成には、図２０に示した振動子７が含まれていない。ＣＰＵ７１ａは、振動子７を制御する機能を有していないことだけが、図２０に示したＣＰＵ７１と相違している。即ち、ＣＰＵ７１ａが振動子７以外の各部を制御する機能は、ＣＰＵ７１の当該機能と同様である。ＣＰＵ７１ａは、本発明における制御手段の一実施形態を構成する。
【００６７】
図２８は、磁気カード処理装置１０５の挿入口４２近傍における磁気カード１の移動状態を示す図である。利用者によって磁気カード１が挿入口４２からＦ方向へ挿入されると、磁気カード１が、図２８（ａ）に示すように突起付きローラ２２と押さえローラ２３との間に入り込み、磁気カード１の挿入力により２つのローラ２２、２３がそれぞれ回転する。これにより、突起付きローラ２２の各突起２２ａが磁気カード１の下面の磁気ストライプ１ｓに順々に衝突し、磁気カード１が上下に振動する。このときは、特に磁気カード１の先端１ａ側の磁気ストライプ１ｓの部分が上下に最も大きく振動する。
【００６８】
そして、磁気カード１が、図２４に示すように所定位置まで挿入されて停止すると、磁気カード１が突起付きローラ２２に接しなくなり、磁気カード１が振動しなくなる。この後は、ＣＰＵ７１ａが、第２カード検出センサ６２によって磁気カード１の所定位置での停止を検出しているときに、移動機構５０によって磁気ヘッド４５をＦ方向へ移動させながら、磁気カード１の情報を読み取る。なお、ＣＰＵ７１ａは、情報の読み取り中に、磁気カード１がＢ方向に引っ張られて所定位置から移動したことを第２カード検出センサ６２によって検出すると、移動機構５０によって磁気ヘッド４５の移動を停止し、磁気カード１の情報の読み取りを中止する。
【００６９】
所定位置に停止している磁気カード１からの情報の読み取りが完了した後は、前述したように磁気カード１の抜き取りが許可され、利用者によって磁気カード１がＢ方向へ引っ張られる。その際、引っ張られている磁気カード１が、図２８（ｂ）に示すように突起付きローラ２２と押さえローラ２３との間に入り込むと、磁気カード１の引抜力により２つのローラ２２、２３がそれぞれ回転する。これにより、突起付きローラ２２の各突起２２ａが磁気カード１の下面の磁気ストライプ１ｓに順々に衝突し、磁気カード１が振動する。このときは、特に磁気カード１の後端１ｂ側の磁気ストライプ１ｓの部分が上下に最も大きく振動する。そして、磁気カード１が挿入口４２から完全に抜き取られると、磁気カード１が突起付きローラ２２に接しなくなり、磁気カード１が振動しなくなる。
【００７０】
上述した第５実施形態のようにすることで、磁気カード処理装置１０５に対する磁気カード１の挿入時および抜き取り時において、磁気カード１が挿入口４２の近傍を通過する際に、突起付きローラ２２で磁気カード１を上下に振動させることができる。このため、偽カード読取機が磁気カード処理装置１０５の挿入口４２の前面に取り付けられても、磁気カード１の磁気ストライプ１ｓと偽カード読取機に備わる磁気ヘッドとの接触状態が不安定になり、磁気カード１の情報の不正読取を防止することが可能となる。
【００７１】
また、挿入された磁気カード１がストッパ５５に当接して所定位置に停止しているときに、磁気ヘッド４５をＦ方向へ移動させて磁気カード１の情報を読み取るので、振動していない状態の磁気カード１の磁気ストライプ１ｓに磁気ヘッド４５を安定に接触させて情報の読み取りを行うことが可能となる。
【００７２】
さらに、磁気カード１の情報の読み取り中に、磁気カード１が所定位置から移動したことを検出したときに、磁気ヘッド４５の移動を停止して、磁気カード１の情報の読み取りを中止するので、磁気ヘッド４５および移動機構５０の損傷を防止することができる。
【００７３】
図２９〜図３１は、本発明の第６実施形態に係る磁気カード処理装置１０６の内部構造を示す図である。図２９は同上方断面図、図３０は同側方断面図（図２９において磁気カード処理装置１０６をＬ方向側から見た断面図）、図３１は同前方断面図（図２９において磁気カード処理装置１０６をＢ方向側から見た断面図）である。なお、図２９〜３１では、前述の図１７〜図１９と同一部分には同一符号を付してある。
【００７４】
本実施形態の磁気カード処理装置１０６では、挿入口４２の近傍に、図１３〜図１５に示したものと同一の小径の偏心ローラ３１と大径の偏心していないローラ３３と押さえローラ３５とが設けられている。偏心ローラ３１とローラ３３とは、挿入口４２の近傍を通過する磁気カード１の下面の磁気ストライプ１ｓと接するようにそれぞれ回転可能に配置されている。偏心ローラ３１の回転軸には小ギヤ３２が連結され、ローラ３３の回転軸には大ギヤ３４が連結されているため、ローラ３３が回転すると、偏心ローラ３１がローラ３３の２倍の回転数で回転する。押さえローラ３５は、ローラ３３と対向するように回転可能かつ上下方向Ｕ、Ｄに移動可能に配置されていて、ばね３６によってローラ３３に押さえ付けられている。磁気カード処理装置１０６の電気的構成は、図２７に示した構成と同一である。
【００７５】
図３２は、磁気カード処理装置１０６の挿入口４２近傍における磁気カード１の移動状態を示す図である。利用者によって磁気カード１が挿入口４２からＦ方向へ挿入されると、磁気カード１が、図３２（ａ）に示すようにローラ３３と押さえローラ３５との間に入り込み、磁気カード１の挿入力により２つのローラ３３、３５がそれぞれ回転する。ローラ３３が回転すると、大ギヤ３４と小ギヤ３２の噛み合いにより偏心ローラ３１がローラ３３の２倍の回転数で回転し、当該偏心ローラ３１の中心からの距離の短い周面と距離の長い周面とが磁気カード１の下面に順々に接する。これにより、偏心ローラ３１が磁気カード１の下面を支持する位置が所定の周期で上下方向Ｕ、Ｄに移動して、磁気カード１が振動する。このときは、特に磁気カード１の先端１ａ側の磁気ストライプ１ｓの部分が上下に最も大きく振動する。そして、磁気カード１が、図２９に示すように所定位置まで挿入されて停止すると、磁気カード１が偏心ローラ３１に接しなくなり、磁気カード１が振動しなくなる。
【００７６】
所定位置に停止している磁気カード１の情報が磁気ヘッド４５によって読み取られた後は、前述したように利用者によって磁気カード１がＢ方向へ引っ張られて抜き取られる。その際、引っ張られている磁気カード１が、図３２（ｂ）に示すようにローラ３３と押さえローラ３５との間に入り込むと、磁気カード１の引抜力により２つのローラ３３、３５がそれぞれ回転する。これにより、偏心ローラ３１がローラ３３の２倍の回転数で回転し、偏心ローラ３１による磁気カード１下面の支持位置が所定の周期で上下方向Ｕ、Ｄに移動して、磁気カード１が振動する。このときは、特に磁気カード１の後端１ｂ側の磁気ストライプ１ｓの部分が上下に最も大きく振動する。そして、磁気カード１が挿入口４２から完全に抜き取られると、磁気カード１が偏心ローラ３１に接しなくなり、磁気カード１が振動しなくなる。
【００７７】
上述した第６実施形態のようにすることで、磁気カード処理装置１０６に対する磁気カード１の挿入時および抜き取り時において、磁気カード１が挿入口４２の近傍を通過する際に、偏心ローラ３１で磁気カード１を上下に振動させることができる。このため、偽カード読取機が磁気カード処理装置１０６の挿入口４２の前面に取り付けられても、磁気カード１の磁気ストライプ１ｓと偽カード読取機に備わる磁気ヘッドとの接触状態が不安定になり、磁気カード１の情報の不正読取を防止することが可能となる。
【００７８】
本発明は、以上述べた実施形態以外にも種々の形態を採用することができる。例えば、第１〜第３実施形態では、磁気カード１を振動させる振動手段としての振動子７、突起付きローラ２２、および偏心ローラ３１を、挿入口４への磁気カード１の挿入を検出する第１カード検出センサ１１よりも反挿入口４側に配置した例を挙げたが、振動子７、突起付きローラ２２、および偏心ローラ３１は、第１カード検出センサ１１よりも挿入口４側、または第１カード検出センサ１１と磁気カード１の挿入方向Ｆに対して略同一の位置に配置するようにしてもよい。また、第４〜第６実施形態では、挿入口４２への磁気カード１の挿入を検出する第１カード検出センサ６１を、振動子７、突起付きローラ２２、および偏心ローラ３１よりも反挿入口４２側に配置した例を挙げたが、第１カード検出センサ６１は、振動子７、突起付きローラ２２、および偏心ローラ３１よりも挿入口４２側、または振動子７、突起付きローラ２２、および偏心ローラ３１と磁気カード１の挿入方向Ｆに対して略同一の位置に配置するようにしてもよい。振動子７、突起付きローラ２２、および偏心ローラ３１は、できる限り挿入口４、４２の近くに設けた方が、挿入口４、４２近傍において磁気カード１を振動させる時間を長くできるので、偽カード読取機による磁気カード１の情報の不正読取を防止するのに効果的である。また、第１カード検出センサ１１、６１は、できる限り挿入口４、４２の近くに設けた方が、挿入口４、４２近傍において磁気カード１を検出する時間を長くできるので、偽カード読取機による磁気カード１の情報の不正読取を防止するのに効果的である。
【００７９】
また、第１〜第３実施形態では、磁気カード１を振動させる振動手段としての振動子７、突起付きローラ２２、および偏心ローラ３１を、磁気カード１の磁気ストライプ１ｓに接する位置に配置していない（図２、図９、図１４に図示）が、第１〜第３実施形態においても、第４〜第６実施形態のように振動子７、突起付きローラ２２、および偏心ローラ３１を磁気カード１の磁気ストライプ１ｓに接する位置（図１７、図２４、図２９に図示）に配置してもよい。
【００８０】
また、第１、第４実施形態では、能動的振動手段として、偏心重り７ｂ付きのモータ７ａからなる振動子７を用いた例を挙げたが、本発明はこれのみに限定するものではない。これ以外に、能動的振動手段として、例えばソレノイドやモータ等の駆動源によりアクチュエータを通路５、４３に出没させて、アクチュエータで磁気カードを叩いて振動させるものや、圧電素子により振動板を振動させて、振動板に接する磁気カードを振動させるものや、電気的に駆動するポンプ等からエアーを噴出して磁気カードを振動させるもの等を用いてもよい。つまり、能動的振動手段としては、電気的な駆動により動作して、磁気カード１を振動させることができる手段であればよい。また、能動的振動手段は、磁気カード１に接触してもよいし、接触しなくてもよい。
【００８１】
また、第２、第３、第５、第６実施形態では、受動的振動手段として、突起付きローラ２２または偏心ローラ３１を用いた例を挙げたが、本発明はこれのみに限定するものではない。これ以外に、受動的振動手段として、例えばギヤのように周面に凹凸が設けられ、磁気カード１が接することで回転して磁気カードを直接振動させるものや、磁気カード１が接することで回転するローラの回転力により、クランクを通路５、４３に出没させて磁気カードを叩いて振動させるものや、磁気カード１が接することで回転するローラの回転力により、偏心カムを回転させて当該偏心カムの周面で磁気カードを押し上げて振動させるもの等を用いてもよい。つまり、受動的振動手段としては、磁気カード１が接することにより動作して、磁気カード１を振動させることができる手段であればよい。
【００８２】
さらに、以上の実施形態では、磁気カードに対して情報の読み取り処理を行う磁気カード処理装置に本発明を適用したが、本発明はこれ以外にも、例えば磁気カードに対して情報の書き込み処理を行う磁気カード処理装置や、情報の読み取りと書き込みの両処理を行う磁気カード処理装置に適用することが可能である。また、磁気ストライプとＩＣ接点の両方が設けられた磁気ＩＣカードに対して情報の処理を行えるように、磁気ヘッドとＩＣ接点ユニットとを内部に備えたカード処理装置に適用することも可能である。さらに、磁気ストライプと非接触通信用のアンテナとＩＣとが設けられた磁気ストライプ付き非接触ＩＣカードに対して情報の処理を行えるように、磁気ヘッドと非接触通信用のアンテナとを内部に備えたカード処理装置に適用することも可能である。
【図面の簡単な説明】
【００８３】
【図１】第１実施形態に係る磁気カード処理装置の側方断面図である。
【図２】同装置の上方断面図である。
【図３】同装置の前方断面図である。
【図４】同装置の電気的構成を示すブロック図である。
【図５】同装置の動作手順を示すフローチャートである。
【図６】同装置における磁気カードの搬送状態を示す図である。
【図７】同装置の挿入部における磁気カードの通過状態を示す図である。
【図８】第２実施形態に係る磁気カード処理装置の側方断面図である。
【図９】同装置の上方断面図である。
【図１０】同装置の前方断面図である。
【図１１】同装置の電気的構成を示すブロック図である。
【図１２】同装置の挿入部における磁気カードの通過状態を示す図である。
【図１３】第３実施形態に係る磁気カード処理装置の側方断面図である。
【図１４】同装置の上方断面図である。
【図１５】同装置の前方断面図である。
【図１６】同装置の挿入部における磁気カードの通過状態を示す図である。
【図１７】第４実施形態に係る磁気カード処理装置の上方断面図である。
【図１８】同装置の側方断面図である。
【図１９】同装置の前方断面図である。
【図２０】同装置の電気的構成を示すブロック図である。
【図２１】同装置の動作手順を示すフローチャートである。
【図２２】同装置における磁気カードの移動状態を示す図である。
【図２３】同装置の挿入口近傍における磁気カードの移動状態を示す図である。
【図２４】第５実施形態に係る磁気カード処理装置の上方断面図である。
【図２５】同装置の側方断面図である。
【図２６】同装置の前方断面図である。
【図２７】同装置の電気的構成を示すブロック図である。
【図２８】同装置の挿入口近傍における磁気カードの移動状態を示す図である。
【図２９】第６実施形態に係る磁気カード処理装置の上方断面図である。
【図３０】同装置の側方断面図である。
【図３１】同装置の前方断面図である。
【図３２】同装置の挿入口近傍における磁気カードの移動状態を示す図である。
【符号の説明】
【００８４】
１    磁気カード
４    挿入口
７    振動子
８    ローラ
１０  磁気ヘッド
１１  第１カード検出センサ
１５  モータ
２１  ＣＰＵ
２１ａ  ＣＰＵ
２２  突起付きローラ
３１  偏心ローラ
４２  挿入口
４５  磁気ヘッド
５０  移動機構
６１  第１カード検出センサ
６２  第２カード検出センサ
７１  ＣＰＵ
７１ａ  ＣＰＵ
１０１  磁気カード処理装置
１０２  磁気カード処理装置
１０３  磁気カード処理装置
１０４  磁気カード処理装置
１０５  磁気カード処理装置
１０６  磁気カード処理装置
【図１】
2005309857.tif 000003
【図２】
2005309857.tif 000004
【図３】
2005309857.tif 000005
【図４】
2005309857.tif 000006
【図５】
2005309857.tif 000007
【図６】
2005309857.tif 000008
【図７】
2005309857.tif 000009
【図８】
2005309857.tif 000010
【図９】
2005309857.tif 000011
【図１０】
2005309857.tif 000012
【図１１】
2005309857.tif 000013
【図１２】
2005309857.tif 000014
【図１３】
2005309857.tif 000015
【図１４】
2005309857.tif 000016
【図１５】
2005309857.tif 000017
【図１６】
2005309857.tif 000018
【図１７】
2005309857.tif 000019
【図１８】
2005309857.tif 000020
【図１９】
2005309857.tif 000021
【図２０】
2005309857.tif 000022
【図２１】
2005309857.tif 000023
【図２２】
2005309857.tif 000024
【図２３】
2005309857.tif 000025
【図２４】
2005309857.tif 000026
【図２５】
2005309857.tif 000027
【図２６】
2005309857.tif 000028
【図２７】
2005309857.tif 000029
【図２８】
2005309857.tif 000030
【図２９】
2005309857.tif 000031
【図３０】
2005309857.tif 000032
【図３１】
2005309857.tif 000033
【図３２】
2005309857.tif 000034